(57)【特許請求の範囲】
【請求項１】
使用可能な複数の画像モードから選択された使用対象の画像モードに応じて画像処理を実行する画像処理回路に対し、前記画像処理の基準となる基準クロックが、前記画像モードに関わらず同一の周波数で出力回路によって出力される場合の前記基準クロックの周波数を決定するためのプログラムであって、
前記出力回路に含まれるコンピュータまたは前記出力回路に前記周波数を示す情報を出力するコンピュータを、
前記複数の画像モードに含まれる所定の画像モードを対象として、水平実ピクセル数と水平無信号期間との和である水平値を演算する手段と、
前記所定の画像モードを対象として、垂直実ライン数と垂直無信号期間との和である垂直値を演算する手段と、
前記水平値と、前記垂直値と、前記所定の画像モードのフレームレートとの積である最小周波数値を演算する手段と、
前記基準クロックの周波数を決定する決定手段と、
決定された前記基準クロックの周波数と、前記フレームレートと、前記水平実ピクセル数と、前記水平無信号期間と、前記垂直実ライン数と、前記垂直無信号期間とに基づき、画像モードごとに、水平総ピクセル数と、垂直総ライン数とを示すモードデータを生成するデータ生成手段として機能させ、
前記決定手段は、前記最小周波数値以上、かつ、最大周波数値以下のＨｚ単位で表される周波数値であって、かつ、周波数値Ｆ＝Ｌ×Ｍ×１０ｎ（ただし、ｎは１以上の整数、Ｌは、２の倍数ではなく、かつ、５の倍数ではない正の整数値と、当該整数値に該当しない７、９、１１、１３、１７、１９のうちの少なくとも１つの数値のすべてを乗算した値、Ｍは１以上の整数）という条件を満たす周波数値Ｆを前記基準クロックの周波数として決定することを特徴とするプログラム。
【請求項２】
請求項１に記載のプログラムにおいて、
前記決定手段は、前記周波数値Ｆが前記出力回路の有する基準クロック生成部における原クロックの値の倍数であるかどうかを判定するとともに、当該判定結果が偽である場合、元の周波数値Ｆとは異なる値であって、かつ、前記条件を満たす値を新たな周波数値Ｆ
として前記周波数値Ｆを演算する処理を、前記周波数値Ｆが前記原クロックの値の倍数になるまで繰り返し実行することを特徴とするプログラム。
【請求項３】
請求項１、２のいずれかに記載のプログラムにおいて、
前記決定手段は、前記出力回路および前記画像処理回路で有効な桁数に基づき、前記１０ｎを決定することを特徴とするプログラム。
【請求項４】
請求項１〜３のいずれかに記載のプログラムにおいて、
前記データ生成手段は、
前記水平総ピクセル数と前記水平実ピクセル数との減算を行うことによって前記水平無信号期間を示す値を前記モードデータの一部として生成し、
前記垂直総ライン数と前記垂直実ライン数との減算を行うことによって前記垂直無信号期間を示す値を前記モードデータの一部として生成することを特徴とするプログラム。
【請求項５】
使用可能な複数の画像モードから選択された使用対象の画像モードに応じて画像処理を実行する画像処理回路と、当該画像処理回路に画像信号を出力する出力回路とを含む画像処理システムにおいて、
前記出力回路は、
前記画像処理の基準となる基準クロックを生成する基準クロック生成部と、
前記画像処理回路に前記基準クロックを出力する基準クロック出力部と、
前記画像処理回路に水平同期信号を出力する水平同期信号出力部と、
前記画像処理回路に垂直同期信号を出力する垂直同期信号出力部と、
前記基準クロックに基づき、前記画像処理回路に画像信号を出力する画像信号出力部と、
前記基準クロック生成部、前記基準クロック出力部、前記水平同期信号出力部、前記垂直同期信号出力部および前記画像信号出力部を制御する制御部と、
を含み、
前記画像処理回路は、
前記出力回路からの前記基準クロックを入力する基準クロック入力部と、
前記出力回路からの前記水平同期信号を入力する水平同期信号入力部と、
前記出力回路からの前記垂直同期信号を入力する垂直同期信号入力部と、
前記基準クロックに基づき、前記出力回路からの前記画像信号を入力する画像信号入力部と、
前記水平同期信号および前記垂直同期信号の少なくとも一方に基づき、前記画像モードを判定する判定部と、
前記画像モードと、前記画像信号とに基づき、画像処理を実行する画像処理部と、
を含み、
前記制御部は、
最小周波数値以上、かつ、最大周波数値以下のＨｚ単位で表される周波数値であって、かつ、周波数値Ｆ＝Ｌ×Ｍ×１０ｎ（ただし、ｎは１以上の整数、Ｌは、２の倍数ではなく、かつ、５の倍数ではない正の整数値と、当該整数値に該当しない７、９、１１、１３、１７、１９のうちの少なくとも１つの数値のすべてを乗算した値、Ｍは１以上の整数）という条件を満たす周波数値Ｆを前記基準クロックの周波数として決定し、
前記使用対象の画像モードに関わらず、当該周波数で前記基準クロックが生成されるように、前記基準クロック生成部を制御し、
前記周波数値Ｆを前記フレームレートの値で割った値に基づき、１画像を構成する複数組の水平総ピクセル数と垂直総ライン数との組合せを示す組合せ情報を生成し、
当該組合せ情報に基づき、前記水平総ピクセル数と前記垂直総ライン数を組み合わせた値、前記水平総ピクセル数または前記垂直総ライン数が画像モードごとに異なるように、前記水平総ピクセル数を示す水平総ピクセル情報と、前記垂直総ライン数を示す垂直総ラ
イン情報とを生成し、
使用対象の画像モードに対応した前記水平総ピクセル情報に基づき、前記水平同期信号出力部を制御し、
前記使用対象の画像モードに対応した前記垂直総ライン情報に基づき、前記垂直同期信号出力部を制御することを特徴とする画像処理システム。
【請求項６】
請求項５に記載の画像処理システムにおいて、
前記制御部は、前記垂直総ライン数が画像モードごとに異なるように、前記使用対象の画像モードに対応した前記水平総ピクセル情報と、前記使用対象の画像モードに対応した前記垂直総ライン情報とを生成し、
前記判定部は、前記垂直同期信号に基づき、前記垂直総ライン数を決定するとともに、決定した前記垂直総ライン数に基づき、前記使用対象の画像モードを判定することを特徴とする画像処理システム。
【請求項７】
請求項５、６のいずれかに記載の画像処理システムにおいて、
前記制御部は、前記複数の画像モードのうち、解像度とフレームレートとの積値が最大となる画像モードの周波数を前記最小周波数値として用いることを特徴とする画像処理システム。
【請求項８】
請求項５〜７のいずれかに記載の画像処理システムを有する表示装置。
【請求項９】
使用可能な複数の画像モードから選択された使用対象の画像モードに応じて画像処理を実行する画像処理回路に対し、前記画像処理の基準となる基準クロックが、前記画像モードに関わらず同一の周波数で出力回路によって出力される場合の前記基準クロックの周波数を決定するための周波数決定方法であって、
前記出力回路に含まれるコンピュータまたは前記出力回路に前記周波数を示す情報を出力するコンピュータに、
前記複数の画像モードに含まれる所定の画像モードを対象として、水平実ピクセル数と水平無信号期間との和である水平値を演算するステップと、
前記所定の画像モードを対象として、垂直実ライン数と垂直無信号期間との和である垂直値を演算するステップと、
前記水平値と、前記垂直値と、前記所定の画像モードのフレームレートとの積である最小周波数値を演算するステップと、
当該最小周波数値以上、かつ、最大周波数値以下のＨｚ単位で表される周波数値であって、かつ、周波数値Ｆ＝Ｌ×Ｍ×１０ｎ（ただし、ｎは１以上の整数、Ｌは、２の倍数ではなく、かつ、５の倍数ではない正の整数値と、当該整数値に該当しない７、９、１１、１３、１７、１９のうちの少なくとも１つの数値のすべてを乗算した値、Ｍは１以上の整数）という条件を満たす周波数値Ｆを前記基準クロックの周波数として決定するステップと、
決定された前記基準クロックの周波数と、前記フレームレートと、前記水平実ピクセル数と、前記水平無信号期間と、前記垂直実ライン数と、前記垂直無信号期間とに基づき、画像モードごとに、水平総ピクセル数と、垂直総ライン数とを示すモードデータを生成するステップと、
を実行させることを特徴とする周波数決定方法。
【発明の詳細な説明】
【技術分野】
【０００１】
本発明は、プログラム、画像処理システム、表示装置および周波数決定方法に関する。
【背景技術】
【０００２】
プロジェクタ等の表示装置内の画像処理システムでは、データクロック、水平同期信号、垂直同期信号等に基づく種々の処理が実行されている。表示装置は、ＤＶＤプレーヤ、ビデオデッキ、ＰＣ(Personal Computer)等の種々の装置から種々の画像信号を入力して画像を表示するだけでなく、記録媒体（ＵＳＢメモリ、メモリカード等）に記録された画像データを入力して画像を表示する機能を有している。このため、表示装置内の画像処理システムは、処理を多段に分割し、機能ごとに異なるＩＣで処理を実行している。
【０００３】
画像処理システム内の画像処理ＩＣは、前段のＩＣから通知される画像モード（解像度、フレームレート、無信号期間等の組み合わせによって決定されるモード）に応じて画像処理を実行する。このため、画像処理システムは、画像モードを判定する必要がある。例えば、特開２００６−６０４９２号公報では、画像の垂直方向の乱れを防止することを目的として、水平同期信号から映像信号のモードを判定し、モードに応じて制御信号を発生し、制御信号に応じて垂直同期信号の開始位置を調整する映像信号処理装置が記載されている。
【特許文献１】特開２００６−６０４９２号公報
【発明の開示】
【発明が解決しようとする課題】
【０００４】
しかし、この手法では、通知信号や制御信号を事前に送信するために構成が複雑になる上、準備にも時間がかかってしまう。
【０００５】
また、一般的な画像処理システムでは、種々の画像モードに対応するため、ＩＣ間で入出力する基準クロック（データクロックともいう。）の周波数も画像モードに応じて変化させる必要がある。
【０００６】
しかし、基準クロックの周波数が可変の場合、画像処理ＩＣ、画像処理ＩＣに基準クロックを出力するＩＣの両方とも種々の周波数に対応する必要が生じ、構成が複雑になる。また、回路設計における評価工数も増大してしまう。
【０００７】
本発明の目的は、画像処理回路と当該画像処理回路に基準クロック等を出力する出力回路の構成を簡素化した状態で、種々の画像モードに応じて画像処理を実行することが可能なプログラム、画像処理システム、表示装置および周波数決定方法を提供することにある。
【課題を解決するための手段】
【０００８】
上記課題を解決するため、本発明に係るプログラムは、使用可能な複数の画像モードから選択された使用対象の画像モードに応じて画像処理を実行する画像処理回路に対し、前記画像処理の基準となる基準クロックが、前記画像モードに関わらず同一の周波数で出力回路によって出力される場合の前記基準クロックの周波数を決定するためのプログラムであって、前記出力回路に含まれるコンピュータまたは前記出力回路に前記周波数を示す情報を出力するコンピュータを、前記複数の画像モードに含まれる所定の画像モードを対象として、水平実ピクセル数と水平無信号期間との和である水平値を演算する手段と、前記所定の画像モードを対象として、垂直実ライン数と垂直無信号期間との和である垂直値を演算する手段と、前記水平値と、前記垂直値と、前記所定の画像モードのフレームレートとの積である最小周波数値を演算する手段と、前記基準クロックの周波数を決定する決定手段として機能させ、前記決定手段は、前記最小周波数値以上、かつ、最大周波数値以下のＨｚ単位で表される周波数値であって、かつ、周波数値Ｆ＝Ｌ×Ｍ×１０ｎ（ただし、ｎは１以上の整数、Ｌは、２の倍数ではなく、かつ、５の倍数ではない正の整数値と、当該整数値に該当しない７、９、１１、１３、１７、１９のうちの少なくとも１つの数値のすべてを乗算した値、Ｍは１以上の整数）という条件を満たす周波数値Ｆを前記基準クロックの周波数として決定することを特徴とする。
【０００９】
また、本発明に係る画像処理システムは、前記画像処理回路と、前記出力回路とを含む画像処理システムであって、前記出力回路は、前記使用対象の画像モードに関わらず、同一の前記周波数で前記基準クロックを生成し、当該基準クロックを前記画像処理回路に出力することを特徴とする。
【００１０】
また、本発明に係る画像処理システムは、前記画像処理回路と、前記出力回路とを含む画像処理システムであって、前記出力回路は、前記使用対象の画像モードに関わらず、同一の前記周波数で前記基準クロックを生成するとともに、当該基準クロックを前記画像処理回路に出力する回路であって、かつ、前記画像処理回路に前記基準クロックを出力する基準クロック出力部と、前記画像処理回路に水平同期信号を出力する水平同期信号出力部と、前記画像処理回路に垂直同期信号を出力する垂直同期信号出力部と、前記基準クロックに基づき、前記画像処理回路に画像信号を出力する画像信号出力部と、前記モードデータに基づき、前記基準クロック生成部、前記基準クロック出力部、前記水平同期信号出力部、前記垂直同期信号出力部および前記画像信号出力部を制御する制御部と、を含むことを特徴とする。
【００１１】
また、本発明に係る画像処理システムは、使用可能な複数の画像モードから選択された使用対象の画像モードに応じて画像処理を実行する画像処理回路と、当該画像処理回路に画像信号を出力する出力回路とを含む画像処理システムにおいて、前記出力回路は、前記画像処理の基準となる基準クロックを生成する基準クロック生成部と、前記画像処理回路に前記基準クロックを出力する基準クロック出力部と、前記画像処理回路に水平同期信号を出力する水平同期信号出力部と、前記画像処理回路に垂直同期信号を出力する垂直同期信号出力部と、前記基準クロックに基づき、前記画像処理回路に画像信号を出力する画像信号出力部と、前記基準クロック生成部、前記基準クロック出力部、前記水平同期信号出力部、前記垂直同期信号出力部および前記画像信号出力部を制御する制御部と、を含み、前記画像処理回路は、前記出力回路からの前記基準クロックを入力する基準クロック入力部と、前記出力回路からの前記水平同期信号を入力する水平同期信号入力部と、前記出力回路からの前記垂直同期信号を入力する垂直同期信号入力部と、前記基準クロックに基づき、前記出力回路からの前記画像信号を入力する画像信号入力部と、前記水平同期信号および前記垂直同期信号の少なくとも一方に基づき、前記画像モードを判定する判定部と、前記画像モードと、前記画像信号とに基づき、画像処理を実行する画像処理部と、を含み、前記制御部は、最小周波数値以上、かつ、最大周波数値以下のＨｚ単位で表される周波数値であって、かつ、周波数値Ｆ＝Ｌ×Ｍ×１０ｎ（ただし、ｎは１以上の整数、Ｌは、２の倍数ではなく、かつ、５の倍数ではない正の整数値と、当該整数値に該当しない７、９、１１、１３、１７、１９のうちの少なくとも１つの数値のすべてを乗算した値、Ｍは１以上の整数）という条件を満たす周波数値Ｆを前記基準クロックの周波数として決定し、前記使用対象の画像モードに関わらず、当該周波数で前記基準クロックが生成されるように、前記基準クロック生成部を制御し、前記周波数値Ｆを前記フレームレートの値で割った値に基づき、１画像を構成する複数組の水平総ピクセル数と垂直総ライン数との組合せを示す組合せ情報を生成し、当該組合せ情報に基づき、前記水平総ピクセル数と前記垂直総ライン数を組み合わせた値、前記水平総ピクセル数または前記垂直総ライン数が画像モードごとに異なるように、前記水平総ピクセル数を示す水平総ピクセル情報と、前記垂直総ライン数を示す垂直総ライン情報とを生成し、使用対象の画像モードに対応した前記水平総ピクセル情報に基づき、前記水平同期信号出力部を制御し、前記使用対象の画像モードに対応した前記垂直総ライン情報に基づき、前記垂直同期信号出力部を制御することを特徴とする。
【００１２】
また、本発明に係る表示装置は、上記画像処理システムを有することを特徴とする。
【００１３】
また、本発明に係る周波数決定方法は、使用可能な複数の画像モードから選択された使用対象の画像モードに応じて画像処理を実行する画像処理回路に対し、前記画像処理の基準となる基準クロックが、前記画像モードに関わらず同一の周波数で出力回路によって出力される場合の前記基準クロックの周波数を決定するための周波数決定方法であって、前記出力回路に含まれるコンピュータまたは前記出力回路に前記周波数を示す情報を出力するコンピュータに、前記複数の画像モードに含まれる所定の画像モードを対象として、水平実ピクセル数と水平無信号期間との和である水平値を演算するステップと、前記所定の画像モードを対象として、垂直実ライン数と垂直無信号期間との和である垂直値を演算するステップと、前記水平値と、前記垂直値と、前記所定の画像モードのフレームレートとの積である最小周波数値を演算するステップと、当該最小周波数値以上、かつ、最大周波数値以下のＨｚ単位で表される周波数値であって、かつ、周波数値Ｆ＝Ｌ×Ｍ×１０ｎ（ただし、ｎは１以上の整数、Ｌは、２の倍数ではなく、かつ、５の倍数ではない正の整数値と、当該整数値に該当しない７、９、１１、１３、１７、１９のうちの少なくとも１つの数値のすべてを乗算した値、Ｍは１以上の整数）という条件を満たす周波数値Ｆを前記基準クロックの周波数として決定するステップと、を実行させることを特徴とする。
【００１４】
本発明によれば、上記プログラムを読み取ったコンピュータ等は、使用対象の複数の画像モードに複数のフレームレートが適用される場合であっても、フレームレートで割ることに適した値を基準クロックの周波数として決定することができる。これにより、当該周波数の基準クロックを用いる画像処理システムは、画像処理回路と当該画像処理回路に基準クロック等を出力する出力回路の構成を簡素化した状態で、種々の画像モードに応じて画像処理を実行することができる。
【００１５】
また、本発明によれば、上記コンピュータ等は、最小周波数値以上の周波数の基準クロックを用いることにより、例えば、動画像の画像信号を入出力する場合であっても、動画像としての性質を保ったまま、画像処理を実行することができる。
【００１６】
また、本発明によれば、上記コンピュータ等は、最大周波数値以下の周波数の基準クロックを用いることにより、回路の設計限界を超えない周波数値を決定することができる。
【００１７】
また、本発明によれば、上記コンピュータ等は、全フレームレートの最小公倍数を素因数分解した場合の素数であって、かつ、２、５以外の少なくとも１つの素数と、当該整数値に該当しない７、９、１１、１３、１７、１９のうちの少なくとも１つの数値のすべてを乗算した値を用いることにより、画像モードに関わらず同一の周波数を用いた場合であっても、種々の解像度、種々のフレームレートに適切に対応することができる。
【００１８】
また、前記決定手段は、前記周波数値Ｆが前記出力回路の有する基準クロック生成部における原クロックの値の倍数であるかどうかを判定するとともに、当該判定結果が偽である場合、元の周波数値Ｆとは異なる値であって、かつ、前記条件を満たす値を新たな周波数値Ｆとして前記周波数値Ｆを演算する処理を、前記周波数値Ｆが前記原クロックの値の倍数になるまで繰り返し実行してもよい。
【００１９】
これによれば、基準クロック生成部は、原クロックを整数倍することにより、指定された周波数で基準クロックを生成することができるため、より効率的に基準クロックを生成することができる。
【００２０】
また、前記決定手段は、前記出力回路および前記画像処理回路で有効な桁数に基づき、前記１０ｎを決定してもよい。
【００２１】
これによれば、上記コンピュータ等は、出力回路および画像処理回路に適した周波数値を決定することができる。
【００２２】
また、前記プログラムは、決定された前記基準クロックの周波数と、前記フレームレートと、前記水平実ピクセル数と、前記水平無信号期間と、前記垂直実ライン数と、前記垂直無信号期間とに基づき、画像モードごとに、水平総ピクセル数と、垂直総ライン数とを示すモードデータを生成するデータ生成手段として前記コンピュータを機能させてもよい。
【００２３】
これによれば、上記プログラムを読み取ったコンピュータ等は、モードデータを生成することにより、画像モードが指定された場合に即座に水平総ピクセル数と垂直総ライン数を決定することができる。また、当該プログラムが出力回路の外部のコンピュータで使用される場合、当該コンピュータは、外部の出力回路等にモードデータを出力することにより、画像モードごとの水平総ピクセル数と垂直総ライン数を容易に伝達することができる。
【００２４】
また、前記データ生成手段は、前記水平総ピクセル数と前記水平実ピクセル数との減算を行うことによって前記水平無信号期間を示す値を前記モードデータの一部として生成し、前記垂直総ライン数と前記垂直実ライン数との減算を行うことによって前記垂直無信号期間を示す値を前記モードデータの一部として生成してもよい。
【００２５】
これによれば、上記プログラムを読み取ったコンピュータ等は、画像モードが指定された場合に即座に水平無信号期間と垂直無信号期間を決定することができる。また、当該プログラムが出力回路の外部のコンピュータで使用される場合、当該コンピュータは、外部の出力回路等にモードデータを出力することにより、画像モードごとの水平無信号期間と垂直無信号期間を容易に伝達することもできる。
【００２６】
また、前記制御部は、前記垂直総ライン数が画像モードごとに異なるように、前記使用対象の画像モードに対応した前記水平総ピクセル情報と、前記使用対象の画像モードに対応した前記垂直総ライン情報とを生成し、前記判定部は、前記垂直同期信号に基づき、前記垂直総ライン数を決定するとともに、決定した前記垂直総ライン数に基づき、前記使用対象の画像モードを判定してもよい。
【００２７】
これによれば、画像処理システムは、垂直同期信号のみに基づいて使用対象の画像モードを判定することができるため、画像モードに関わらず同一周波数の基準クロックを入出力する場合であっても、種々の画像モードを効率的に判定することができる。
【００２８】
また、前記制御部は、前記複数の画像モードのうち、解像度とフレームレートとの積値が最大となる画像モードの周波数を前記最小周波数値として用いてもよい。
【００２９】
これによれば、画像処理システムは、例えば、動画像の画像信号を入出力する場合に必要となる周波数の最低値以上の周波数を用いることができ、画像モードに関わらず同一周波数の基準クロックを入出力する場合であっても、動画像としての性質を保ったまま画像処理を実行することができる。
【発明を実施するための最良の形態】
【００３０】
以下、本発明を表示装置の一種であるプロジェクタ内の画像処理システムに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００３１】
（第１の実施例）
図１は、第１の実施例における画像処理システムの機能ブロック図である。プロジェクタ内の画像処理システムは、使用可能な複数の画像モードから選択された使用対象の画像モードに応じて画像処理を実行する画像処理回路２００と、画像処理回路１００に画像信号を出力する出力回路１００を含んで構成されている。
【００３２】
出力回路１００は、画像処理の基準となる基準クロックを生成する基準クロック生成部１２０と、画像処理回路２００に基準クロックを出力する基準クロック出力部１３０と、画像処理回路２００に水平同期信号を出力する水平同期信号出力部１４０と、画像処理回路２００に垂直同期信号を出力する垂直同期信号出力部１５０と、基準クロックに基づき、画像処理回路に画像信号を出力する画像信号出力部１６０と、基準クロック生成部１２０、基準クロック出力部１３０、水平同期信号出力部１４０、垂直同期信号出力部１５０および画像信号出力部１６０を制御する制御部１１０を含んで構成されている。
【００３３】
また、制御部１１０は、基準クロックの周波数を決定するための演算を行う演算部１１４と、当該周波数を決定する決定部１１５と、画像モードごとの種々のパラメータを示すモードデータ１１８を記憶するモードデータ記憶部１１７と、モードデータ１１８を生成するデータ生成部１１６と、基準クロック出力部１３０等の出力タイミングを調整するタイミング調整部１１９を含んで構成されている。
【００３４】
また、画像処理回路２００は、出力回路１００からの前記基準クロックを入力する基準クロック入力部２３０と、出力回路１００からの水平同期信号を入力する水平同期信号入力部２４０と、出力回路１００からの垂直同期信号を入力する垂直同期信号入力部２５０と、基準クロックに基づき、出力回路１００からの画像信号を入力する画像信号入力部２６０と、垂直同期信号に基づき、画像モードを判定する判定部２１０と、画像モードと、画像信号に基づき、画像処理を実行する画像処理部２２０を含んで構成されている。
【００３５】
なお、これらの各部は、例えば、以下のハードウェアを用いて回路基板に実装することが可能である。例えば、制御部１１０、判定部２１０としてはＣＰＵ等、基準クロック生成部１２０としてはＰＬＬ等、基準クロック出力部１３０、水平同期信号出力部１４０、垂直同期信号出力部１５０、画像信号出力部１６０としては信号出力回路等、基準クロック入力部２３０、水平同期信号入力部２４０、垂直同期信号入力部２５０、画像信号入力部２６０としては信号入力回路等、ビデオメモリ２７０としてはＤＲＡＭ等、画像処理部２２０としては画像処理回路等が用いられてもよい。
【００３６】
次に、画像信号の出力前に初期段階で実行される周波数決定手順、モードデータ１１８の生成手順と、画像信号の出力時に実行される画像処理手順について順番に説明する。
【００３７】
（周波数決定手順の説明）
図２は、第１の実施例における周波数決定手順を示すフローチャートである。例えば、モードデータ１１８の初期データとして、画像モードごとのフレームレート、水平実ピクセル数、垂直実ライン数が記憶されているものとする。例えば、画像モードがＳＶＧＡ＿１であれば、フレームレートが６０（フレーム／秒）、水平実ピクセル数が８００（ピクセル）、垂直実ライン数が６００（ライン）であり、画像モードがＳＶＧＡ＿２であれば、フレームレートが５０（フレーム／秒）、水平実ピクセル数が８００（ピクセル）、垂直実ライン数が６００（ライン）である。なお、水平実ピクセル数および垂直実ライン数は無信号期間を含まない実際の表示に用いられる部分の数値である。なお、本実施例では、無信号期間は、画素データが無効である期間のことであり、例えば、ブランク期間（帰線期間を含む。）、同期信号駆動期間を含む。
【００３８】
演算部１１４は、水平実ピクセル数が最大の画像モードを選択する。本実施例では、画像モードＷＸＧＡ＿２の水平実ピクセル数が１２８０であり、最大であるため、この画像モードが選択される。なお、ＷＸＧＡ＿２のフレームレートは５０、垂直実ライン数は８００であるものとする。
【００３９】
演算部１１４は、画像モードＷＸＧＡ＿２を対象として、（水平実ピクセル数＋水平無信号期間）×（垂直実ライン数＋垂直無信号期間）×フレームレートを演算する。この場合、（１２８０＋３００）×（８００＋１００）×５０で、７１１０００００となり、決定部１１５は、７１１０００００（Ｈｚ）を最小周波数値Ｆｍｉｎとして決定する（ステップＳ１）。
【００４０】
図３（Ａ）は、第１の実施例における水平同期信号の模式図であり、図３（Ｂ）は、第１の実施例における垂直同期信号の模式図である。
【００４１】
基準クロックの周波数値Ｆ＝水平総ピクセル数Ｈ×垂直総ライン数Ｖ×フレームレートＲである。また、水平総ピクセル数Ｈ＝水平実ピクセル数ｈ＋水平前ブランクｂ＋水平後ブランクａ＋水平同期信号駆動期間ｓである。また、垂直総ライン数Ｖ＝垂直実ライン数ｖ＋垂直前ブランクＢ＋水平後ブランクＡ＋垂直同期信号駆動期間Ｓである。
【００４２】
また、水平無信号期間＝最低限必要な合計ブランク期間（水平前ブランク＋水平後ブランク）＋最低限必要な水平同期信号駆動期間である。また、垂直無信号期間＝最低限必要な合計ブランク期間（垂直前ブランク＋垂直後ブランク）＋最低限必要な垂直同期信号駆動期間である。また、最大周波数値Ｆｍａｘは出力回路１００等に適用される部品等によって決定される固定値である。本実施例では、最大周波数値Ｆｍａｘ＝７５００００００（Ｈｚ）であるものとする。
【００４３】
また、本実施例においては、出力回路１００および画像処理回路２００の量産に適した有効桁数は４桁であり、一般的な周波数は数十ＭＨｚであるため、周波数値Ｆは、Ｈｚ単位で８桁の数字で表される。このため、周波数値Ｆ＝Ｋ（４桁の有効数字）×１０４で表すことができる。すなわち、周波数値Ｆ＝Ｌ×Ｍ×１０４で表すことができる。ここで、Ｌは、２の倍数ではなく、かつ、５の倍数ではない正の整数値と、当該整数値に該当しない７、９、１１、１３、１７、１９のうちの少なくとも１つの数値のすべてを乗算した値である。また、Ｍは１以上の整数である。
【００４４】
本実施例では、上記正の整数値として３を用い、上記少なくとも１つの数値として、９、１１を用いるものとする。ここで、３を用いるのは、現状の周波数値として３の倍数のものが多く適用されている上、小さい素数であるため、組合せ可能な数値が多様化するからである。また、２、５以外の正の整数値を用いるのは、周波数値をＨｚ単位で表すと必ず１０の倍数になり、周波数値を素因数分解すると、素数として２と５が必ず含まれるからである。また、９と１１を用いるのは周波数値Ｆに必ず含まれる１０との差が１であり、周波数値Ｆから水平総ピクセル数と垂直総ライン数の組合せを生成する場合に、異なる組合せを生成しやすいからである。
【００４５】
決定部１１５は、周波数値Ｆ＝３×９×１１×Ｍ×１０４＝２９７×Ｍ×１０４が最小周波数値Ｆｍｉｎ以上かつ最大周波数値Ｆｍａｘ以下という条件を満たす周波数値Ｆを決定する（ステップＳ２）。例えば、Ｍ＝２４の場合、周波数値Ｆは、７１２８００００となり、最小周波数値７１１０００００以上、最大周波数値７５００００００以下という条件を満たす。
【００４６】
さらに、決定部１１５は、周波数値ＦをＰＬＬ基準値で割った値の余りが０になるかどうか、すなわち、周波数値Ｆが基準クロック生成部１２０における原クロックの倍数かどうかを判定する（ステップＳ３）。ここで、ＰＬＬ基準値は、基準クロック生成部１２０に内蔵されている基準クロックを生成するための原クロックの基準値である。ここでは２７がＰＬＬ基準値であるものとする。
【００４７】
この判定結果が偽である場合、決定部１１５は、Ｍに１を加えた値を新たなＭとしてステップＳ２、Ｓ３の処理を実行する（ステップＳ４）。ここでは、７１２８００００は２７で割り切れるため、ステップＳ４の判定結果は真である。ステップＳ４の判定結果が真である場合、決定部１１５は、周波数値Ｆを基準クロックの周波数に決定する（ステップＳ５）。
【００４８】
以上の手順により、出力回路１００は、周波数値Ｆから水平総ピクセル数と垂直総ライン数の組合せを生成する場合に、異なる組合せを生成しやすい周波数値Ｆを決定することができる。
【００４９】
（モードデータ生成手順の説明）
次に、決定された周波数値Ｆに基づくモードデータ１１８の生成手順について説明する。図４は、第１の実施例におけるモードデータ生成手順を示すフローチャートである。また、図５は、第１の実施例におけるモードデータ１１８の一例を示す図である。なお、図５は、完成したモードデータ１１８の状態を示している。初期段階では、画像モード、基準クロック数Ｆ、フレームレートＲ、水平実ピクセル数ｈ、垂直実ライン数ｖ、水平前ブランクｂ、垂直前ブランクＢ（または垂直後ブランクＡ）、垂直同期信号期間Ｓは固定であり、既知の値であるが、その他の値は未知の値である。
【００５０】
まず、データ生成部１１６は、画像モードが最大の解像度のものを選択する（ステップＳ１１）。図５に示す例では、ＷＸＧＡ＿２が、解像度が最大である。したがって、データ生成部１１６は、画像モードＷＸＧＡ＿２を対象として選択する。
【００５１】
次に、データ生成部１１６は、水平最小総ピクセル数Ｈｍｉｎ、垂直最小総ライン数Ｖｍｉｎを演算する（ステップＳ１２）。具体的には、水平最小総ピクセル数Ｈｍｉｎ＝水平実ピクセル数ｈ＋最小水平無信号期間（最小水平同期信号駆動期間＋最小水平前ブランク＋最小水平後ブランク）である。また、垂直最小総ピクセル数Ｖｍｉｎ＝垂直実ピクセル数ｖ＋最小垂直無信号期間（最小垂直同期信号駆動期間＋最小垂直前ブランク＋最小垂直後ブランク）である。ここでは、最小水平無信号期間＝３００、最小垂直無信号期間＝１００であるものとする。
【００５２】
データ生成部１１６は、Ｈ×Ｖ＝Ｆ／Ｒ、かつ、Ｈ＞Ｈｍｉｎ、Ｖ＞Ｖｍｉｎを満たすＨとＶを決定する（ステップＳ１３）。ここで、Ｆ＝７１２８００００、Ｒ＝５０で既知の値であるため、Ｆ／Ｒ＝１４２５６００である。また、Ｈｍｉｎ＝１５８０、Ｖｍｉｎ＝９００である。したがって、この場合、Ｈ＝１５８４、Ｖ＝９００が上記条件を満たす値として決定される。
【００５３】
データ生成部１１６は、決定したＨ、Ｖと、既知の値に基づき、未知数である水平後ブランクａおよび垂直後ブランクＡを決定し、モードデータ１１８を更新する（ステップＳ１４）。以上の手順により、ＷＸＧＡ＿２についてのすべてのデータがモードデータ１１８に書き込まれる。
【００５４】
モードデータ１１８の更新後、データ生成部１１６は、同じ解像度で異なる周波数の画像モードがないかどうかを判定する（ステップＳ１５）。同じ解像度で異なる周波数の画像モードがある場合、データ生成部１１６は、Ｒを更新し（ステップＳ１６）、ステップＳ１３の処理を実行する。なお、ここでは、解像度がＷＸＧＡのものはＷＸＧＡ＿２だけであるため、同じ解像度で異なる周波数の画像モードはないと判定される。
【００５５】
ある解像度についての上述したパラメータの決定処理終了後、データ生成部１１６は、全解像度に対するパラメータの決定処理が終了したかどうかを判定する（ステップＳ１７）。この判定結果が偽である場合、データ生成部１１６は、次の解像度を選択し（ステップＳ１８）、上述したステップＳ１２〜Ｓ１８の処理を全解像度に対するパラメータの決定処理が終了するまで実行する。
【００５６】
なお、本実施例では、データ生成部１１６は、垂直総ライン数Ｖが重複しないように、モードデータ１１８を生成する。重複する垂直総ライン数Ｖが発生した場合、データ生成部１１６は、次候補の垂直総ライン数Ｖを選択してもよい。また、この場合、出力回路１００は、次候補の基準クロックの周波数を選択し、上述した処理を再実行してもよい。
【００５７】
図５に示すように、垂直総ライン数Ｖが各画像モードで異なるモードデータ１１８を生成することにより、画像処理回路２００が、垂直総ライン数Ｖに基づいて画像モードを判定することが可能になる。
【００５８】
全画像モードに対するパラメータの決定処理が終了すると、データ生成部１１６は、図５に示すように、未知数のない状態になる。また、以上の処理により、制御部１１０に適切なモードデータ１１８が生成され、選択された画像モードに応じた画像処理が可能になる。
【００５９】
（画像処理手順の説明）
次に、モードデータ１１８が生成された後に、画像処理回路２００が、出力回路１００からの画像信号に応じて画像処理を実行するための画像処理手順について説明する。図６は、第１の実施例における画像処理手順を示すフローチャートである。
【００６０】
制御部１１０内のタイミング調整部１１９は、モードデータ１１８に基づき、決定された基準クロック周波数７１２８００００Ｈｚで基準クロックが生成されるように基準クロック生成部１２０を制御する。基準クロック生成部１２０は、タイミング調整部１１９による制御に応じ、選択された画像モードに関わらず、１つの周波数で基準クロックを生成する（ステップＳ２１）。なお、タイミング調整部１１９は、画像信号の種別に応じて自動的に使用対象の画像モードを決定してもよいし、ユーザの選択に応じて使用対象の画像モードを決定してもよい。
【００６１】
タイミング調整部１１９は、モードデータ１１８に基づき、使用対象の画像モードに応じて基準クロック出力部１３０、水平同期信号出力部１４０、垂直同期信号出力部１５０および画像信号出力部１６０の出力タイミングを調整する（ステップＳ２２）。なお、基準クロック出力部１３０、水平同期信号出力部１４０、垂直同期信号出力部１５０および画像信号出力部１６０には、動作の基準となる基準クロックが基準クロック生成部１２０から入力される。
【００６２】
基準クロック出力部１３０は基準クロックを画像処理回路２００に出力し、水平同期信号出力部１４０は水平同期信号を画像処理回路２００に出力し、垂直同期信号出力部１５０は垂直同期信号を画像処理回路２００に出力し、画像信号出力部１６０は画像信号（例えば、１０ビットのＲＧＢデータ、１２ビットのＲＧＢデータ等）を画像処理回路２００に出力する（ステップＳ２３）。
【００６３】
基準クロック入力部２３０は基準クロックを入力し、水平同期信号入力部２４０は水平同期信号を入力し、垂直同期信号入力部２５０は垂直同期信号を入力し、画像信号入力部２６０は画像信号を入力する（ステップＳ２４）。画像信号入力部２６０は、入力した画像信号をビデオメモリ２７０に書き込む。なお、水平同期信号入力部２４０、垂直同期信号入力部２５０および画像信号入力部２６０は、基準クロック入力部２３０からの基準クロックに基づいて信号入力タイミングを調整することが可能である。
【００６４】
判定部２１０は、垂直同期信号入力部２５０によって入力された垂直同期信号に基づき、画像モードを判定する（ステップＳ２５）。例えば、判定部２１０は、垂直同期信号に基づき、垂直総ライン数が１０８０であると判定した場合、画像モードがＳＶＧＡＡであると判定する。
【００６５】
画像処理部２２０は、判定部２１０によって判定された画像モードに応じてビデオメモリ２７０内の画像信号を用いて画像処理（例えば、画像の生成等）を実行する（ステップＳ２６）。
【００６６】
以上のように、本実施例によれば、出力回路１００は、使用対象の複数の画像モードに複数のフレームレートが適用される場合であっても、フレームレートで割ることに適した値を基準クロックの周波数として決定することができる。これにより、当該周波数の基準クロックを用いる画像処理システムは、画像処理回路と当該画像処理回路に基準クロック等を出力する出力回路の構成を簡素化した状態で、種々の画像モードに応じて画像処理を実行することができる。
【００６７】
また、本実施例によれば、１種類の周波数のみを用いて基準クロック等の入出力を行えばよいため、出力回路１００等の製造費用を抑制できる上、回路設計者の設計や評価にかかる時間を短縮できる。
【００６８】
また、本実施例によれば、出力回路１００は、最小周波数値以上の周波数の基準クロックを用いることにより、例えば、動画像の画像信号を入出力する場合であっても、動画像としての性質を保ったまま、画像処理を実行することができる。また、本実施例によれば、上記コンピュータ等は、最大周波数値以下の周波数の基準クロックを用いることにより、回路の設計限界を超えない周波数値を決定することができる。
【００６９】
また、本実施例によれば、出力回路１００は、２、５以外の素数を含む少なくとも２つの数値の積を用いて基準クロックの周波数を決定することにより、画像モードに関わらず同一の周波数を用いた場合であっても、種々の解像度、種々のフレームレートに適切に対応することができる。
【００７０】
例えば、周波数＝水平総ピクセル数×垂直総ライン数×フレームレートであるため、共通の周波数を決定する際に、使用可能な複数の画像モードのフレームレートの最小公倍数を用いる方式も考えられるが、この方式の場合、画像モードが増加するほどフレームレートの種別も増えてしまい、最小公倍数も増加してしまうため、汎用性に欠ける。
【００７１】
これに対し、本実施例によれば、出力回路１００は、２、５以外の少なくとも１つの正の整数値と、当該整数値に該当しない７、９、１１、１３、１７、１９のうちの少なくとも１つの数値のすべてを乗算した値を用いることにより、水平総ピクセル数×垂直総ライン数の組合せとして種々の組合せを生成することができ、フレームレートの種別が増えた場合であっても、１つの周波数（１つの周波数で対応できない場合は２つの周波数）で全画像モードに対応することができる。
【００７２】
また、本実施例によれば、出力回路１００は、原クロックを整数倍することにより、指定された周波数で基準クロックを生成することができるため、より効率的に基準クロックを生成することができる。
【００７３】
また、本実施例によれば、出力回路１００および画像処理回路２００は、内部的に有効な桁数に応じて周波数値を決定することができるため、効率よく画像処理を実行することができる。また、出力回路１００および画像処理回路２００の設計者は、量産に適した安価な出力回路１００および画像処理回路２００を用いることができる。
【００７４】
また、本実施例によれば、出力回路１００は、モードデータ１１８を生成することにより、画像モードが指定された場合に、即座に水平総ピクセル数、垂直総ライン数、水平無信号期間、垂直無信号期間を決定することができる。
【００７５】
また、本実施例によれば、画像処理回路２００は、垂直同期信号のみに基づいて使用対象の画像モードを判定することができるため、画像モードに関わらず同一周波数の基準クロックを入出力する場合であっても、種々の画像モードを効率的かつ容易に判定することができ、判定部２１０に実装するハードウェアやソフトウェアの簡素化を図ることができる。
【００７６】
また、本実施例によれば、画像処理システムは、例えば、動画像の画像信号を入出力する場合に必要となる周波数の最低値以上の周波数を用いることができ、画像モードに関わらず同一周波数の基準クロックを入出力する場合であっても、動画像としての性質を保ったまま画像処理を実行することができる。
【００７７】
（第２の実施例）
上述した実施例では、周波数を決定するコンピュータは、出力回路１００の制御部１１０内に設けられているが、出力回路１００の外部に設けられてもよい。次に、周波数を決定するコンピュータがＰＣに設けられた実施例について説明する。
【００７８】
図７は、第２の実施例におけるＰＣ３００の機能ブロック図である。ＰＣ３００は、演算部３１０と、決定部３２０と、データ生成部３３０と、データ出力部３４０を含んで構成されている。なお、演算部３１０は、上述した演算部１１４の機能を有し、決定部３２０は、上述した決定部１１５の機能を有し、データ生成部３３０は、上述したデータ生成部１１６の機能を有する。
【００７９】
また、出力回路１０１は、制御部１１１と、基準クロック生成部１２０と、基準クロック出力部１３０と、水平同期信号出力部１４０と、垂直同期信号出力部１５０と、画像信号出力部１６０と、データ入力部１７０を含んで構成されている。また、制御部１１１は、モードデータ１１８を記憶するモードデータ記憶部１１７と、タイミング調整部１１９を含んで構成されている。
【００８０】
なお、演算部３１０、決定部３２０、データ生成部３３０の機能は、例えば、ＣＰＵ等、データ出力部３４０、データ入力部１７０の機能は、例えば、ＵＳＢインターフェース等を用いてＰＣ３００およびプロジェクタに実装可能である。
【００８１】
また、ＰＣ３００は、ＰＣ３００の有するＣＰＵを演算部３１０、決定部３２０、データ生成部３３０として機能させるためのプログラムを情報記憶媒体４００から読み取って上述した機能を実装してもよい。
【００８２】
このような情報記憶媒体４００としては、例えば、ＣＤ−ＲＯＭ、ＤＶＤ−ＲＯＭ、ＲＯＭ、ＲＡＭ、ＨＤＤ等を適用でき、そのプログラムの読み取り方式は接触方式であっても、非接触方式であってもよい。
【００８３】
周波数の決定手順、モードデータ１１８の生成手順は、第１の実施例と同様であるため、説明を省略する。データ出力部３４０は、データ生成部３３０によって生成されたモードデータ１１８をプロジェクタ（出力回路１０１）に出力する。
【００８４】
出力回路１０１のデータ入力部１７０は、ＰＣ３００からのモードデータ１１８を入力し、モードデータ記憶部１１７に記憶する。タイミング調整部１１９は、モードデータ記憶部１１７に記憶されたモードデータ１１８に基づき、基準クロック生成部１２０における基準クロックの周波数を調整し、基準クロック出力部１３０、水平同期信号出力部１４０、垂直同期信号出力部１５０、画像信号出力部１６０の信号出力タイミングを調整する。
【００８５】
以上のように、第２の実施例によっても、ＰＣ３００および出力回路１０１は、第１の実施例と同様の作用効果を奏する。また、ＰＣ３００が、外部の出力回路１０１にモードデータ１１８を出力することにより、画像モードごとの水平総ピクセル数、水平無信号期間、垂直総ライン数、垂直無信号期間を容易に伝達することができる。
【００８６】
（その他の実施例）
なお、本発明の適用は上述した実施例に限定されず、種々の変形が可能である。例えば、上述した有効桁数は４桁には限定されず、３桁以下でも５桁以上であってもよい。また、上述した１０ｎ（上述した実施例では１０４）におけるｎは有効桁数に応じて種々の値を採用可能である。
【００８７】
また、上述した正の整数値は３には限定されず、使用可能な画像モードのフレームレートに応じて種々の値を採用可能である。例えば、使用可能な画像モードのフレームレートが５０と７０である場合、整数値として７が採用されてもよい。また、使用可能な画像モードのフレームレートの最小公倍数を素因数分解した素数から当該整数値が決定されてもよい。また、当該整数値に該当しない数値は、上述した９と１１には限定されず、例えば、７、９、１１、１３、１７、１９のうちの少なくとも１つの数値であってもよい。
【００８８】
また、基準クロックの周波数を決定するための条件は、上述した実施例には限定されず、出力回路１００、ＰＣ３００は、種々の条件を採用してもよい。例えば、出力回路１００、ＰＣ３００は、求めた周波数値Ｆが不適切な周波数範囲（例えば、ＥＭＩノイズが発生しやすい範囲等）に該当するかどうかを判定し、該当する場合、不適切な周波数範囲に該当しない周波数値Ｆを基準クロックの周波数として決定してもよい。
【００８９】
また、周波数値の決定手順や、モードデータ１１８の生成手順等は、上述した実施例には限定されず、変形、最適化、手順の変更等を適宜行うことが可能である。
【００９０】
また、上述した実施例では、データ生成部１１６は、垂直総ライン数が重複しないようにモードデータ１１８を生成したが、例えば、水平総ピクセル数が重複しないようにモードデータ１１８を生成してもよいし、垂直総ライン数と水平総ピクセル数の組合せ（例えば、垂直総ライン数＋水平総ピクセル数、垂直総ライン数×水平総ピクセル数等）が重複しないようにモードデータ１１８を生成してもよい。また、判定部２１０も水平総ピクセル数や垂直総ライン数と水平総ピクセル数の組合せに基づいて画像モードの判定を行ってもよい。
【００９１】
また、プロジェクタは、具体的には、例えば、液晶プロジェクタ、ＤＭＤ(Digital Micromirror Device)を用いたプロジェクタ等であってもよい。なお、ＤＭＤは米国テキサス・インスツルメンツ社の商標である。また、本発明を適用可能な表示装置は、プロジェクタには限定されない。例えば、テレビ、ノート型ＰＣ等の種々の画像信号を入力し、出力回路と画像処理回路に分割されている種々の表示装置に本発明を適用可能である。また、周波数を決定したり、モードデータ１１８を生成したりするコンピュータは、ＰＣ３００には限定されず、種々のコンピュータ（例えば、携帯電話、ＰＤＡ等の演算機能とデータ出力機能を有する装置）を適用可能である。
【図面の簡単な説明】
【００９２】
【図１】第１の実施例における画像処理システムの機能ブロック図である。
【図２】第１の実施例における周波数決定手順を示すフローチャートである。
【図３】図３（Ａ）は、第１の実施例における水平同期信号の模式図であり、図３（Ｂ）は、第１の実施例における垂直同期信号の模式図である。
【図４】第１の実施例におけるモードデータ生成手順を示すフローチャートである。
【図５】第１の実施例におけるモードデータの一例を示す図である。
【図６】第１の実施例における画像処理手順を示すフローチャートである。
【図７】第２の実施例におけるＰＣの機能ブロック図である。
【符号の説明】
【００９３】
１００、１０１  出力回路、１１０、１１１  制御部、１１４  演算部、１１５  決定部、１１６  データ生成部、１１７  モードデータ記憶部、１１８  モードデータ、１１９  タイミング調整部、１２０  基準クロック生成部、１３０  基準クロック出力部、１４０  水平同期信号出力部、１５０  垂直同期信号出力部、１６０  画像信号出力部、１７０  データ入力部、２００  画像処理回路、２１０  判定部、２２０  画像処理部、２３０  基準クロック入力部、２４０  水平同期信号入力部、２５０  垂直同期信号入力部、２６０  画像信号入力部、３００  ＰＣ（コンピュータ）、３１０  演算部、３２０  決定部、３３０  データ生成部、３４０  データ出力部、４００  情報記憶媒体
【図１】
0005051372.tif 000002
【図２】
0005051372.tif 000003
【図３】
0005051372.tif 000004
【図４】
0005051372.tif 000005
【図５】
0005051372.tif 000006
【図６】
0005051372.tif 000007
【図７】
0005051372.tif 000008